(57)【要約】【課題】  本発明は、木製棺と比較して、軽量で、かつ火葬時間が短縮でき、従来の紙製棺と比較して、火葬した後に遺骨以外に殆ど灰がのこらないペット用棺を提供することを課題とする。【解決手段】  主として製紙用パルプを原材料とし、原材料中における灰分がＪＩＳ  Ｐ−８２５２（２００３）で測定したとき３質量％以下、好ましくは１質量％以下である、前記原材料を使用したシート状物にて箱状物を形成する。構造体としてはダンボール構造やハニカム構造とすることが好ましく、さらに表面に装飾を施したり、棺の内部に体液の吸収保持用のシート状物を敷設することが好ましい。【選択図】図１
2011110125.tif 000002
【特許請求の範囲】
【請求項１】
主として製紙用パルプを原材料とし、原材料中における灰分がＪＩＳ  Ｐ−８２５２（２００３）で測定したとき３質量％以下である、前記原材料を使用したシート状物にて箱状物を形成することを特徴とする、ペット用棺。
【請求項２】
上記、原材料中の灰分が１質量％以下であることを特徴とする、請求項１に記載のペット用棺。
【請求項３】
シート状物がダンボール構造であることを特徴とする、請求項１または２に記載のペット用棺。
【請求項４】
シート状物がハニカム構造であることを特徴とする、請求項１または２に記載のペット用棺。
【請求項５】
ペット用棺の内外面における少なくとも１面に、装飾模様が施された紙、布、フィルムの内1種類以上を貼合、敷設、あるいは印刷模様を施したことを特徴とする、請求項１〜４のいずれか１項に記載のペット用棺。
【請求項６】
敷き布団、および／または掛け布団として布、あるいは紙でできた袋内にクッション材を挿入し、クッション材には高分子吸収体が５ｇ／ｍ２以上含まれており、前記敷き布団および／または掛け布団を棺の内部に敷設したことを特徴とする、請求項１〜５のいずれか１項に記載のペット用棺。
【発明の詳細な説明】
【技術分野】
【０００１】
本発明は、ペット用棺に関する。詳しくは、火葬時に灰が残らず、火葬後の遺骨が着色しない紙製ペット用棺に関する。
【背景技術】
【０００２】
犬、猫、モルモット、フェレット、鳥などの小動物は古くからペットとしてかわいがられている。ペットは、もはや家族の一員としての地位を確保し、これらが死亡した際には過去のように生ゴミとして処分するのではなく、火葬にして追悼する例が多くなっている。最近ではペット専用の火葬場も出現したこともあって、ペットロス症候群を癒し、思い出を残すために遺骨をペンダントにしたりすることも行われている。
【０００３】
例えば、特許文献１では装飾模様が施されたダンボールを、折れ線に沿って折り曲げて形成することで容易にペット用棺を提供することが提案され、特許文献２では三角筒形状をした、ダンボールや厚紙材料からなるペット用棺が提案されている。特許文献３では、断面が多角形をした筒状のペット用棺が提案されている。
【０００４】
特許文献４では、材質は特定されてはいないが、独立した前板部、側板部を有し、それぞれにほぞとほぞ穴を設けて組み立て、固定するペット用棺が提案されている。
【０００５】
特許文献５では、ペット専用棺ではないが、全体の構造は紙製板材を使用し、釘を打ち込んで蓋を固定する部分には木材、合成木材、合成樹脂発泡体のいずれかを組み合わせて強度を高めた提案がなされている。
【０００６】
しかし、従来の紙素材はダンボールを主体としたものが多く、ダンボール用のライナーや中芯の素材は古紙が主成分を占めている。このために軽く、材料費も少なく、火葬時のエネルギーコストも低減できるが、古紙中の灰分が多く、火葬後によけいな灰が残留して遺骨を採集しにくいという問題があった。
【先行技術文献】
【特許文献】
【０００７】
【特許文献１】実公昭６２−１１６６７４号公報
【特許文献２】実開平１−９９１４３号公報
【特許文献３】実開平１−９９１４４号公報
【特許文献４】実開平４−１１４３２９号公報
【特許文献５】実公平４−１９３９号公報
【発明の概要】
【発明が解決しようとする課題】
【０００８】
本発明では上記したような問題点を解決することを課題とする。すなわち
（１）木製棺と比較して、軽量で、かつ火葬時間が短縮できること。
（２）火葬した後に、遺骨以外に殆ど灰がのこらないこと。
【課題を解決するための手段】
【０００９】
即ち、本発明の請求項１に係る発明は、主として製紙用パルプを原材料とし、原材料中における灰分がＪＩＳ  Ｐ−８２５２（２００３）で測定したとき３質量％以下である、前記原材料を使用したシート状物にて箱状物を形成することを特徴とする、ペット用棺である。
【００１０】
即ち、本発明の請求項２に係る発明は、上記、原材料中の灰分が１質量％以下であることを特徴とする、請求項１に記載のペット用棺
【００１１】
即ち、本発明の請求項３に係る発明は、シート状物がダンボール構造であることを特徴とする、請求項１または２に記載のペット用棺である。
【００１２】
即ち、本発明の請求項４に係る発明は、シート状物がダンボール構造であることを特徴とする、請求項１〜３のいずれか１項に記載のペット用棺である。
【００１３】
即ち、本発明の請求項５に係る発明は、シート状物がハニカム構造であることを特徴とする、請求項１〜３のいずれか１項に記載のペット用棺である。
【００１４】
即ち、本発明の請求項６に係る発明は、ペット用棺の内外面における少なくとも１面に、装飾模様が施された紙、布、フィルムの内1種類以上を貼合、敷設、あるいは印刷模様を施したことを特徴とする、請求項１〜５のいずれか１項に記載のペット用棺である。
【００１５】
即ち、本発明の請求項７に係る発明は、敷き布団、および／または掛け布団として布、あるいは紙でできた袋内にクッション材を挿入し、クッション材には高分子吸収体が５ｇ／ｍ２以上含まれており、前記敷き布団および／または掛け布団を棺の内部に敷設したことを特徴とする、請求項１〜６のいずれか１項に記載のペット用棺である。
【発明の効果】
【００１６】
本発明によれば、軽量で火葬が容易であり、火葬後の灰も少なく、遺骨の採取が容易なペット用棺を提供することができる。
【図面の簡単な説明】
【００１７】
【図１】図１はダンボール構造の断面図である。
【図２】図２はハニカム構造体の製造方法の概略である。
【図３】図３は棺の内部に敷設する布団の断面概略図である。
【発明を実施するための形態】
【００１８】
本発明では、主として製紙用パルプを原材料とすることが必要である。ここで、主としてとは、製紙用パルプが原材料の９０質量％以上を占めていることをいう。製紙用パルプとしては木材パルプが好ましく使用できる。例えば針葉樹晒クラフトパルプ（ＮＢＫＰ）、広葉樹晒クラフトパルプ（ＬＢＫＰ）、針葉樹晒サルファイトパルプ（ＮＢＳＰ）、広葉樹晒サルファイトパルプ（ＬＢＳＰ）、サーモメカニカルパルプ（ＴＭＰ）等の木材パルプを単独あるいは混合したものを用いることができる。この木材パルプを主体とし、必要に応じてこれに麻、竹、藁、ケナフ、バガス、楮、三椏や木綿等の非木材パルプ、カチオン化パルプ、マーセル化パルプ等の変性パルプ、レーヨン、ビニロン、ナイロン、アクリル、ポリエステル等の再生繊維、合成繊維、半合成繊維、あるいはアルミナ繊維、アルミナシリケート繊維といった無機繊維、あるいはミクロフィブリル化パルプを単独で、あるいは混合して併用することができる。火葬後の灰分をできるだけ減少させる意味で、無機繊維の含有量は３質量％未満、好ましくは１質量％以下であることが必要である。無機繊維が３質量％以上になると、火葬後の灰分が３質量％以上となり、遺骨採取の際によけいな灰分が多くなるので好ましくない。また、合成繊維を使用する場合は、塩化ビニル繊維や塩化ビニリデン繊維のように塩素を含む合成繊維は、火葬時にダイオキシン類を発生させる虞があるので好ましくない。
【００１９】
また、原材料中における灰分はＪＩＳ  Ｐ−８２５２（２００３）で測定したとき３質量％以下である必要がある。灰分の原材料中における含有量が３質量％を越えると、火葬後の灰の量が多くなりすぎ、遺骨の採取の際に障害となる。原材料中の灰分を調整するには、主原料である製紙用パルプについて、できるだけ古紙を使用しないことが重要である。古紙には複数の種類の紙が混入しており、古紙中の灰分についてもその量を把握できないからである。従って、できるだけバージンパルプを使用することが好ましい。できるだけとは、古紙の中に高填料紙が混入していたと仮定した場合に、原材料中に占める灰分の含有量を推計して３質量％にならない量を意味する。また、製紙用薬品に関しても火葬後の灰分を規定量以下に抑える必要があり、できるだけ灰分の少ない製紙用薬品を必要量のみで使用することが好ましい。
【００２０】
本発明では、原材料中における灰分は、ＪＩＳ  Ｐ−８２５２（２００３）で測定したとき１質量％以下であることが好ましい。このようにすることで、火葬後の灰がほとんどなくなり、遺骨の採取がより容易となる。
【００２１】
本発明では、製紙用木材パルプとしては、漂白されたパルプを使用することが好ましい。未漂白パルプであると表面の色調が生成りになり、棺に微妙な独特の着色を呈してくる。これに対して漂白されたパルプでは棺の表面の色調が白色となり、その表面に装飾を施した際にも違和感がなく使用できるので好ましい．
【００２２】
本発明では製紙用木材パルプを主体とし、これをカナディアン・スタンダード・フリーネスで３５０〜５５０ｍｌ、好ましくは４００〜５００ｍｌになるように叩解し、一般的に使用される製紙用薬品、例えば乾燥紙力増強剤、湿潤紙力増強剤、製紙用填料、着色剤、サイズ剤、定着剤、歩留まり向上剤、スライムコントロール剤などを必要に応じて適宜混合して使用できる。次いで、長網抄紙機、短網抄紙機、円網抄紙機、長網と円網のコンビネーション抄紙機などを使用し、シート状物を得る。
【００２３】
本発明では、シート状物がダンボール構造であることが好ましい。ダンボール構造とは、波状部分を形成する中芯の表裏をライナーで貼合した構造である。中芯は多層抄き板紙である場合が多く、ライナーも同様に多層抄きの板紙が通常使用される。ライナーの坪量は通常は１２０〜４６９ｇ／ｍ２の範囲で製造され、必要に応じて各種の硬さに調整されるが、本発明においては強度確保のため、もっとも硬いグレードであるＫ７が好ましい。この中芯とライナーを使用してコルゲートマシンを通してダンボールが製造される。ダンボールの規格としては、軽量化と強度の関係からＡフルート、Ｂフルート、もしくはＡＢフルートであることが好ましい。また、遺体から発生する体液によるダンボール構造の損傷を防ぐ目的から、耐水性を持たせたダンボール構造が好ましい。耐水性を付与するには、ライナーや中芯に湿潤紙力増強剤を使用したり、ライナー表面に耐水化剤を塗工するなどして耐水性をあげ、さらには中芯とライナーの接着に使用される接着剤も耐水性を有する接着剤を使用することが好ましい。
【００２４】
本発明では、シート状物がハニカム構造を有していることも好ましい。ハニカム構造とは、立体図形をすきまなく埋めた構造である。孔の面積を一定にして最も強度を増すためには、同じ面積による平面充填で、周の長さが最も短い形状にする必要があり、実際には正六角形を示す。ハニカム構造とは、薄板状材料を用い、無数の六角筒状セルが蜂の巣状に集まった構造（以下、「コア」と呼ぶ。）をいい、このコアの両面部分に「スキン」と呼ぶ薄板を貼合したものがハニカム構造体である。
【００２５】
ハニカム構造体を製造する方法としては、コアとなる板紙に条線状に交互に半ピッチずつずらして接着剤を塗布し、これらを何層も重ねてプレスし、ブロックを形成させる。次にこの様にして得られたブロックを必要な厚みにスライスし、これを横方向に展開することでハニカムコアが形成できる。このハニカムコアの両面に、スキン材と呼ばれる板紙を貼合することでハニカム構造体によるシート状物ができる。
【００２６】
コアとなる板紙、およびスキン材となる板紙の性質（坪量、厚さ、硬さなど）およびコアとなる部分の六角筒の大きさは、使用するペット用棺のサイズ、さらにいえば納棺される遺体の大きさ、もしくは体重によって適宜決めることができる。
【００２７】
スキン材として使用される板紙、およびコア材として使用される板紙は、上記したダンボール用ライナーおよび中芯に準じたものが好ましく使用できる。また、遺体からの体液の滲出による箱体強度の劣化を防止するため、使用される板紙および接着剤には耐水性を付与したものが好ましい。耐水性を付与するためには、使用される板紙製造の際に湿潤紙力増強剤を添加したり、スキン材の表面に耐水化剤や撥水剤などを塗工することも好ましい。また、コア材を製造するときの接着剤として、通常は澱粉、変性デンプン、酸化デンプン、エステル化デンプン、デキストリンなどの澱粉誘導体や、ポリビニルアルコールのような水溶性接着剤、あるいは酢酸ビニルなどの水系エマルジョン接着剤などが好ましく使用されるが、耐水性を増すために、これらの接着剤中に耐水化剤を添加することも好ましい。
【００２８】
本発明のペット用棺においては、当該ペット用棺の内外面における少なくとも１面に装飾模様が施された紙、布、フィルムの内1種類以上を貼合したり、敷設したり、あるいは印刷模様を施すことが好ましい。このようにすることで当該ペット用棺が豪華になり、施主であるペットの飼い主の精神を和らげる効果がある。装飾物は、当該棺とともに火葬されるので、火葬後に完全燃焼して灰分がほとんど残らず、かつ遺骨に本来の遺骨以外の色調に変色させる成分が入っていないことが重要である。ここで使用される紙としては、色紙、エンボス模様紙、各種印刷模様紙などを適宜使用することができる。また、布としては同様に着色、模様、刺繍などが施されたものなどが適宜使用できる。また、フィルムとしてはポリエチレン、ポリプロピレン、アクリル、ポリエステル、ナイロン、レーヨンなどの各種のプラスチックフィルムが適宜使用できるが、金属製フィルムは火葬後に灰分が増加したり、燃えかすが残るために、また、塩化ビニルや塩化ビニリデンなどの塩素含有プラスチックフィルムは、火葬時にダイオキシンなどの有害ガスの発生する虞があるので好ましくない。
また、当該ペット用棺の内面および／または外面に装飾模様を印刷しても構わない。
【００２９】
本発明のペット用棺においては、当該ペット用棺の内部に敷き布団、および／または掛け布団として布、あるいは紙でできた袋内にクッション材を挿入することが好ましい。このようにすることで、施主であるペットの飼い主の癒しを増すことができる。敷き布団、および／または掛け布団としては、ペットの遺体に接触する面を布、あるいは耐水性を有する紙製、合成繊維や化学繊維などの不織布とし、反対面にはポリエチレン、ポリプロピレン、ポリエステルなどの耐水性および防水性を有するフィルムとした袋を形成し、この中にクッション材とともに高分子吸収体を５ｇ／ｍ２以上敷き詰めた構造とすることが好ましい。クッション材としては紙、布、不織布、スポンジなどが適宜使用でき、高分子吸収体はポリアクリル酸ナトリウムを主成分とする顆粒状の物質で、自重の数百倍の水分を保持できるとされている。この物質をクッション材に混入させることで、ペットの遺体から滲出する体液を紙、あるいは布の表面から速やかにクッション内部の高分子吸収体が吸収、保持するため、遺体の周囲のみならずペット用棺の外観部分に体液が染み出てきたり、あるいは体液から発生する悪臭を押さえ込むことができるので好ましい。
【００３０】
［実施例１］
製紙用パルプとして、広葉樹晒クラフトパルプ（ＬＢＫＰ）を離解してから、カナディアン・スタンダード・フリーネスが４００ｍｌになるように叩解してスラリーを調製し、これに硫酸バンドを１質量％添加した後、生デンプン、自己定着性デンプンを対パルプ固形分当たり１．０質量％添加した紙料を使用して、円網多槽式抄紙機を使用して坪量が１４０ｇ／ｍ２のライナーを抄紙した。同様に、坪量が７０ｇ／ｍ２の中芯用紙を抄紙した。
【００３１】
接着剤として澱粉糊を使用し、コルゲートマシンにて上記中芯用紙を段繰り加工し、この両面に上記ライナーを澱粉糊を使用して貼合し、Ａフルートの両面ダンボールを作成した。
【００３２】
上記の両面ダンボールを直方体に成形加工するように罫線入れ、および抜加工し、縦４２ｃｍ、横３１ｃｍ、高さ１５ｃｍのペット用棺を製造した。
【００３３】
［実施例２］
実施例１と同様にして、坪量１４０ｇ／ｍ２のスキン用板紙を製造し、さらに７０ｇ／ｍ２のコア材用板紙を製造した。コア材用板紙にピッチ１０ｍｍの間隔で酢酸ビニル系接着剤を２５ｇ／ｍ２の塗工量でスジ状に塗工して、順繰りに積層してコア材を作成し、これを１０ｍｍの厚さにスライスした後引き延ばしてコア材を作成した。コア材の両面に酢酸ビニル系接着剤を２５ｇ／ｍ２の塗工量でロールコーターを使用して塗工し、コア材の両面にスキン材を貼合して熱プレスし、ペーパーハニカム板を作成した。このペーパーハニカム材を使用して、端面部分が臍の組み合わせて接合できるように抜き加工し、縦４２ｃｍ、横３１ｃｍ、高さ１５ｃｍのペット用棺を製造した。
【００３４】
［実施例３］
実施例１で製造したペット用棺の側面、および天版部分に装飾性を有する装飾紙を貼合し、ペット用棺を製造した。
【００３５】
［実施例４］
実施例１で製造したペット用棺の側面、および天版部分に装飾性を有する布を貼合し、ペット用棺を製造した。
【００３６】
［実施例５］
実施例１で製造したペット用棺の側面、および天板部分に装飾性を有する印刷模様を施したペット用棺を製造した。
【００３７】
［実施例６］
表面が木綿製の布、裏面が厚さ２５μｍのポリエチレン製シートからなる袋状物を製造し、その内部に高分子吸収体を５ｇ／ｍ２になるように混入させたフラッフパルプを６０ｇ／ｍ２になるように敷き詰め、ペット用の布団を製造した。
【００３８】
上記したペット用布団を、布地部分が上向きになるように敷いたものを敷き布団とし、その上に布地部分が下向きになるようにしたものを掛け布団として、実施例１で製造したペット用棺の内部に設置した。
【００３９】
［比較例１］
厚さ１ｃｍの杉板を使用して縦４２ｃｍ、横３１ｃｍ、高さ１５ｃｍのペット用棺を製造した。組み立てには釘を使用した。
【００４０】
［比較例２］
製紙用パルプとして、古紙を主原料とするライナーと中芯を使用した他は実施例１と同様にしてペット用棺を製造した。
【００４１】
実施例１〜６および比較例１〜２について以下のような評価試験を行い、その結果を表１に示した。
【００４２】
［灰分］
各サンプルをＪＩＳ  Ｐ−８２５２（２００３）で測定した。灰分の量に応じて、下記の３段階に評価した。
○：灰分が１質量％以下
△：灰分が３質量％以下
×：灰分が３質量％を越える
△以上を合格とした。
【００４３】
［体液の吸収性］
人工体液として、青の染料で着色したポリビニルピロリドンの４質量％溶液を使用し、これをペット用棺の底面部分に５０ｍｌ塗布し、３０分後にこれを拭き取って表面の状態を目視観察した。なお、布団を敷設する場合は、布団の上（布地部分）に当該人工体液を塗布した。
○：底部表面に、何らのシミも確認されなかった。
△：底部表面にシミが確認されたが、外側までは達していなかった。
×：棺の外側までシミが広がっていた。
△以上を合格とした。
【００４４】
［美感］
外観を目視観察し、観念的評価で美的なものを○、美的でないものを×とした。
【００４５】
［表１］
2011110125.tif 000003
【００４６】
表１の結果から、実施例においては全て灰分が設定以下となり、遺体火葬後の遺骨採取の際に、よけいな灰が残らないことがわかった。これに対して比較例では灰分が３％を越え、しかも箱を組み立てた際の釘がそのまま残留していた。比較例２でもダンボールとして古紙を多用しているため、灰分が５％と多くなっていた。体液の吸収性の面では、実施例、比較例とも棺の外部にまで染み出てくることはなかった。その中でも実施例６では敷き布団と掛け布団が疑似体液を完全に吸収、保持して棺の底部になんらのシミも確認できない状態であった。美感に関しては、実施例はいずれも棺自体が白色の地色をしているのに対し、比較例では通常の梱包用ダンボールの色調となり、粗末な感じがした。実施例３〜５では棺の表面に装飾を施してあるので、さらに美感が向上していた。
【産業上の利用可能性】
【００４７】
本発明のペット用棺によれば、棺自体の外観も美しく、ペットの買い主に癒しをあたえるものであり、火葬後においても灰が必要以上に残らず、遺骨の採取が容易であるペット用棺を提供することができる。また、ペットの大きさや体重に合わせて各種のサイズも容易に用意でき、構造も体重に合わせて強度維持可能になる。
【符号の説明】
【００４８】
１１．  ダンボール
１２．  第１ライナー
１３．  第２ライナー
１４．  中芯
２１．  ハニカムコアを形成する板紙
２２．  接着剤
２３．  （２１）を積層してプレスしたブロック
２４．  ブロックを必要な厚さに切断したもの
２５．  膨張したハニカムコア
２６．  ハニカムコア
２７．  スキン材
２８．  スキン材
２９．  ハニカム構造体
３１．  耐水性を有する紙、または布
３２．  耐水性と防水性を有するシート状物
３３．  高分子吸収体を含むクッション材
【図１】
2011110125.tif 000004
【図２】
2011110125.tif 000005
【図３】
2011110125.tif 000006